【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
動的に作動可能な回折光学要素（ＤＯＥ）であって、前記動的に作動可能なＤＯＥは、
表面を有する基板であって、前記表面は、第１の領域と、前記第１の領域から側方に変位させられた第２の領域とを含む、基板と、
前記基板の表面の第１の領域上に配置された回折格子であって、前記回折格子は、第１の屈折率を有し、複数の隆起と、隣接する隆起間の複数の溝とを含む、回折格子と、
前記基板の表面の第２の領域上に配置されたある量の流体であって、前記ある量の流体は、前記回折格子の前記第１の屈折率に実質的に合致した第２の屈折率を有する、ある量の流体と、
前記基板の前記表面の前記第２の領域に隣接して配置された流体ディスプレーサと、
前記流体ディスプレーサに結合され、電気信号を前記流体ディスプレーサに送信するように構成された駆動信号源と
を備え、
前記電気信号は、第１の状態と、第２の状態とを有し、
前記流体ディスプレーサは、
前記第１の状態における前記電気信号を受信すると、前記ある量の流体の一部が前記表面の前記第２の領域から前記回折格子の前記溝の中に変位させられるようにし、それによって、前記回折格子が「オフ」状態にあるようにすることと、
前記第２の状態における前記電気信号を受信すると、前記ある量の流体の前記一部が前記回折格子の前記溝から前記表面の前記第２の領域に後退するようにし、それによって、前記回折格子が「オン」状態にあるようにすることと
を行うように構成されている、動的に作動可能なＤＯＥ。
【請求項２】
前記基板は、親水性材料を備え、前記回折格子は、疎水性材料を備えている、請求項１に記載の動的に作動可能なＤＯＥ。
【請求項３】
前記親水性材料は、ガラスを備え、前記疎水性材料は、ポリマーを備えている、請求項２に記載の動的に作動可能なＤＯＥ。
【請求項４】
前記流体ディスプレーサは、圧電要素を備えている、請求項１に記載の動的に作動可能なＤＯＥ。
【請求項５】
前記流体ディスプレーサは、
前記基板の前記表面の前記第２の領域に取り付けられたバイメタルレバーと、
前記バイメタルレバーに取り付けられ、前記回折格子を覆っている光学窓と、
前記バイメタルレバーおよび前記駆動信号源に結合された加熱要素と
を備え、
前記加熱要素は、
前記駆動信号源からの前記第１の状態における前記電気信号を受信すると、オフ状態になることと、
前記駆動信号源からの前記第２の状態における前記電気信号を受信すると、オン状態になることと
を行うように構成され、
バイメタルレバーは、
前記加熱要素が前記オフ状態にあることに応答して、直線状態に留まり、前記光学窓が前記回折格子を押し付けるようにし、それによって、前記ある量の流体の前記一部が前記表面の前記第２の領域から前記回折格子の前記溝の中に変位させられるようにすることと、
前記加熱要素が前記オン状態にあることに応答して、湾曲状態に留まり、前記光学窓が前記回折格子から持ち上がるようにし、それによって、前記ある量の流体の前記一部が前記回折格子の前記溝から前記表面の前記第２の領域に後退するようにすることと
を行うように構成されている、請求項１に記載の動的に作動可能なＤＯＥ。
【請求項６】
前記回折格子を覆っている透明カバーをさらに備え、前記流体ディスプレーサは、
Ｕ形状のダムと、
前記Ｕ形状のダムに結合され、前記表面の前記第２の領域に隣接して配置された弾性壁であって、前記透明カバー、前記Ｕ形状のダム、および前記弾性壁は、前記回折格子および前記ある量の流体を包囲している、弾性壁と、
前記弾性壁に取り付けられた押し部材と、
前記押し部材および前記駆動信号源に結合された駆動機構と
を備え、
前記駆動機構は、
前記駆動信号源からの前記第１の状態における前記電気信号を受信すると、前記押し部材が前記回折格子に向かって移動するようにし、それによって、前記ある量の流体の前記一部が前記表面の前記第２の領域から前記回折格子の前記溝の中に変位させられるようにすることと、
前記駆動信号源からの前記第２の状態における前記電気信号を受信すると、前記押し部材が前記回折格子から離れるように移動するようにし、それによって、前記ある量の流体の前記一部が前記回折格子の前記溝から前記表面の前記第２の領域に後退するようにすることと
を行うように構成されている、請求項１に記載の動的に作動可能なＤＯＥ。
【請求項７】
前記駆動機構は、微小電気機械システム（ＭＥＭＳ）アセンブリを備え、前記ＭＥＭＳアセンブリは、
前記基板に固定して取り付けられた第１の櫛と、
前記基板に移動可能に取り付けられ、前記第１の櫛と互いに組み合わせられた第２の櫛と
を備え、
前記第２の櫛は、前記押し部材に取り付けられており、
前記駆動機構は、
前記第１の状態における前記電気信号を受信すると、電位を前記第１の櫛と前記第２の櫛との間に印加し、前記第２の櫛および前記押し部材が前記第１の櫛から前記回折格子に向かって離れるように移動するようにすることと、
前記第２の状態における前記電気信号を受信すると、任意の電位を前記第１の櫛と前記第２の櫛との間に印加せず、前記第２の櫛および前記押し部材が元の位置に後退するようにすることと
を行うように構成されている、請求項６に記載の動的に作動可能なＤＯＥ。
【請求項８】
前記駆動機構は、第１の端部と、第２の端部とを有するらせん形態における形状記憶合金を備え、前記第２の端部は、前記押し部材に取り付けられ、
第１の電極が、前記基板に取り付けられ、前記形状記憶合金の前記第１の端部は、前記第１の電極に取り付けられ、
第２の電極が、前記透明カバーに取り付けられ、前記形状記憶合金の前記第２の端部は、前記第２の電極にスライド接触し、
前記駆動機構は、
前記第１の状態における前記電気信号を受信すると、電位を前記第１の電極と前記第２の電極との間に印加し、前記形状記憶合金が拡張するようにし、それによって、前記形状記憶合金の前記第２の端部が前記押し部材を前記回折格子に向かって押すようにすることと、
前記第２の状態における前記電気信号を受信すると、どんな電位も前記第１の電極と前記第２の電極との間に印加せず、前記形状記憶合金が元の状態に収縮するようにし、それによって、前記押し部材が元の位置に後退するようにすることと
を行うように構成されている、請求項６に記載の動的に作動可能なＤＯＥ。
【請求項９】
前記回折格子を覆っている光学窓をさらに備え、前記流体ディスプレーサは、
前記基板の前記表面の前記第２の領域に隣接して前記光学窓を覆っているトラスと、
前記トラスと前記光学窓との間に配置され、前記駆動信号源に結合されたアクチュエータと
を備え、
前記流体ディスプレーサは、
前記第１の状態における前記電気信号を受信すると、電流を前記アクチュエータに印加し、前記アクチュエータが力を前記光学窓に及ぼすようにし、前記光学窓が前記回折格子に向かって下向きに撓むようにし、それによって、前記ある量の流体の前記一部が前記表面の前記第２の領域から前記回折格子の前記溝の中に変位させられるようにすることと、
前記第２の状態における前記電気信号を受信すると、前記電流を前記アクチュエータに印加せず、前記光学窓が元の位置に後退するようにし、それによって、前記ある量の流体の前記一部が前記回折格子の前記溝から前記表面の前記第２の領域に後退するようにすることと
を行うように構成されている、請求項１に記載の動的に作動可能なＤＯＥ。
【請求項１０】
前記アクチュエータは、圧電要素、ボイスコイルモータ、または熱膨張可能体のうちの１つを備えている、請求項９に記載の動的に作動可能なＤＯＥ。
【請求項１１】
前記流体ディスプレーサは、前記ある量の流体と熱接触している加熱要素を備え、前記流体ディスプレーサは、
前記第１の状態における前記電気信号を受信すると、電流を前記加熱要素に印加し、前記ある量の流体が熱くなり、膨張するようにし、それによって、前記ある量の流体の前記一部が前記表面の前記第２の領域から前記回折格子の前記溝の中に変位させられるようにすることと、
前記第２の状態における前記電気信号を受信すると、前記電流を前記加熱要素に印加せず、前記ある量の流体が冷え、収縮するようにし、それによって、前記ある量の流体の前記一部が前記回折格子の前記溝から前記表面の前記第２の領域に後退するようにすることと
を行うように構成されている、請求項１に記載の動的に作動可能なＤＯＥ。
【請求項１２】
仮想コンテンツの画像を形成するための画像光を視認者の眼に投影するための接眼レンズであって、前記接眼レンズは、
第１の波長に中心を置かれた第１の波長範囲内の光を伝搬するように構成された第１の平面導波管と、
第１の側方位置において、前記第１の導波管の表面の第１の領域上に形成された第１の動的に作動可能な回折光学要素（ＤＯＥ）であって、前記動的に作動可能なＤＯＥは、その上に入射する前記画像光を受信するように構成され、
前記動的に作動可能なＤＯＥは、
第１の屈折率を有する表面レリーフ回折格子であって、前記表面レリーフ回折格子は、複数の隆起と、隣接する隆起間の複数の溝とを含む、表面レリーフ回折格子と、
前記第１の領域に隣接した前記第１の導波管の前記表面の第２の領域上に配置されたある量の流体であって、前記流体は、前記回折格子の第１の屈折率に実質的に合致した第２の屈折率を有する、ある量の流体と、
前記第２の領域に隣接して配置された流体ディスプレーサと、
前記流体ディスプレーサに結合され、電気信号を前記流体ディスプレーサに送信するように構成された駆動信号源と
を備え、
前記電気信号は、第１の状態または第２の状態を有し、
前記流体ディスプレーサは、
前記第１の状態における前記電気信号を受信すると、前記ある量の流体の一部が前記第２の領域から前記回折格子の前記溝の中に変位するようにし、それによって、前記回折格子が「オフ」状態にあるようにすることと、
前記第２の状態における前記電気信号を受信すると、前記ある量の流体の前記一部が前記回折格子の前記溝から前記第２の領域に後退するようにし、それによって、前記回折格子が「オン」状態にあるようにすることと
を行うように構成され、
前記回折格子は
「オン」状態にある間、前記第１の導波管の中で伝搬されるように前記第１の導波管の中に前記回折格子の上に入射する前記画像光の一部を回折することと、
「オフ」状態にある間、その上に入射する前記画像光を透過させることと
を行うように構成されている、前記第１の動的に作動可能なＤＯＥと、
前記第１の導波管の平面と実質的に平行に位置付けられた第２の平面導波管であって、前記第２の平面導波管は、前記第１の波長と異なる第２の波長に中心を置かれた第２の波長範囲内の光を伝搬するように構成されている、第２の平面導波管と、
前記第１の側方位置と実質的に整列させられた第２の側方位置において、前記第２の導波管の表面の領域上に形成された第２のＤＯＥであって、
前記第２のＤＯＥは、
前記回折格子が「オフ」状態にある間、前記回折格子によって透過させられた前記画像光を受け取ることと、
前記第２の導波管の中で伝搬されるように前記第２の導波管の中に前記画像光の第２の部分を回折することと
を行うように構成されている、第２のＤＯＥと
を備えている、接眼レンズ。
【請求項１３】
前記画像光は、複数のサブフレーム期間において時間多重化された前記第１の波長範囲内の光と前記第２の波長範囲内の光とを含み、前記駆動信号源は、
前記第２の波長範囲内の光に対応するサブフレーム期間において、前記第１の状態における前記電気信号を送信することと、
前記第１の波長範囲内の光に対応するサブフレーム期間において、前記第２の状態における前記電気信号を送信することと
を行うように構成されている、請求項１２に記載の接眼レンズ。
【請求項１４】
前記第１の導波管は、親水性材料を備え、前記回折格子は、疎水性材料を備えている、請求項１２に記載の接眼レンズ。
【請求項１５】
前記親水性材料は、ガラスを備え、前記疎水性材料は、ポリマーを備えている、請求項１４に記載の接眼レンズ。
【請求項１６】
前記第１の導波管の前記表面の前記第２の領域は、親水性として挙動するように化学的に処理され、前記回折格子の表面は、疎水性として挙動するように化学的に処理されている、請求項１２に記載の接眼レンズ。
【請求項１７】
前記流体ディスプレーサは、圧電要素を備えている、請求項１２に記載の接眼レンズ。
【手続補正２】
【補正対象書類名】明細書
【補正対象項目名】００１０
【補正方法】変更
【補正の内容】
【００１０】
いくつかのさらなる実施形態によると、動的に作動可能なレンズは、表面を有する基板と、基板の表面上に形成されたメタ表面回折光学要素（ＤＯＥ）とを含む。メタ表面ＤＯＥは、表面の上方に突出し、隣接した隆起部分間の複数の陥凹を画定する複数の隆起部分を含む。動的に作動可能なレンズは、メタ表面ＤＯＥを覆い、親水性材料を備えている移動可能なカバーと、移動可能なカバー上に配置されたある量の流体と、移動可能なカバーに結合された駆動機構とをさらに含む。駆動機構は、第１の状態における制御信号を受信すると、移動可能なカバーをメタ表面ＤＯＥに向かって移動させ、ある量の流体の一部を複数の陥凹の中に変位させ、それによって、メタ表面ＤＯＥを「オフ」状態にし、第２の状態における制御信号を受信すると、移動可能なカバーをメタ表面ＤＯＥから離れるように移動させ、ある量の流体の一部を複数の陥凹から後退させ、それによって、メタ表面ＤＯＥを「オン」状態にするように構成されている。
本願明細書は、例えば、以下の項目も提供する。
（項目１）
動的に作動可能な回折光学要素（ＤＯＥ）であって、前記動的に作動可能なＤＯＥは、
表面を有する基板であって、前記表面は、第１の領域と、前記第１の領域から側方に変位させられた第２の領域とを含む、基板と、
前記基板の表面の第１の領域上に配置された回折格子であって、前記回折格子は、第１の屈折率を有し、複数の隆起と、隣接する隆起間の複数の溝とを含む、回折格子と、
前記基板の表面の第２の領域上に配置されたある量の流体であって、前記ある量の流体は、前記回折格子の前記第１の屈折率に実質的に合致した第２の屈折率を有する、ある量の流体と、
前記基板の前記表面の前記第２の領域に隣接して配置された流体ディスプレーサと、
前記流体ディスプレーサに結合され、電気信号を前記流体ディスプレーサに送信するように構成された駆動信号源と
を備え、
前記電気信号は、第１の状態と、第２の状態とを有し、
前記流体ディスプレーサは、
前記第１の状態における前記電気信号を受信すると、前記ある量の流体の一部が前記表面の前記第２の領域から前記回折格子の前記溝の中に変位させられるようにし、それによって、前記回折格子が「オフ」状態にあるようにすることと、
前記第２の状態における前記電気信号を受信すると、前記ある量の流体の前記一部が前記回折格子の前記溝から前記表面の前記第２の領域に後退するようにし、それによって、前記回折格子が「オン」状態にあるようにすることと
を行うように構成されている、動的に作動可能なＤＯＥ。
（項目２）
前記基板は、親水性材料を備え、前記回折格子は、疎水性材料を備えている、項目１に記載の動的に作動可能なＤＯＥ。
（項目３）
前記親水性材料は、ガラスを備え、前記疎水性材料は、ポリマーを備えている、項目２に記載の動的に作動可能なＤＯＥ。
（項目４）
前記流体ディスプレーサは、圧電要素を備えている、項目１に記載の動的に作動可能なＤＯＥ。
（項目５）
前記流体ディスプレーサは、
前記基板の前記表面の前記第２の領域に取り付けられたバイメタルレバーと、
前記バイメタルレバーに取り付けられ、前記回折格子を覆っている光学窓と、
前記バイメタルレバーおよび前記駆動信号源に結合された加熱要素と
を備え、
前記加熱要素は、
前記駆動信号源からの前記第１の状態における前記電気信号を受信すると、オフ状態になることと、
前記駆動信号源からの前記第２の状態における前記電気信号を受信すると、オン状態になることと
を行うように構成され、
バイメタルレバーは、
前記加熱要素が前記オフ状態にあることに応答して、直線状態に留まり、前記光学窓が前記回折格子を押し付けるようにし、それによって、前記ある量の流体の前記一部が前記表面の前記第２の領域から前記回折格子の前記溝の中に変位させられるようにすることと、
前記加熱要素が前記オン状態にあることに応答して、湾曲状態に留まり、前記光学窓が前記回折格子から持ち上がるようにし、それによって、前記ある量の流体の前記一部が前記回折格子の前記溝から前記表面の前記第２の領域に後退するようにすることと
を行うように構成されている、項目１に記載の動的に作動可能なＤＯＥ。
（項目６）
前記回折格子を覆っている透明カバーをさらに備え、前記流体ディスプレーサは、
Ｕ形状のダムと、
前記Ｕ形状のダムに結合され、前記表面の前記第２の領域に隣接して配置された弾性壁であって、前記透明カバー、前記Ｕ形状のダム、および前記弾性壁は、前記回折格子および前記ある量の流体を包囲している、弾性壁と、
前記弾性壁に取り付けられた押し部材と、
前記押し部材および前記駆動信号源に結合された駆動機構と
を備え、
前記駆動機構は、
前記駆動信号源からの前記第１の状態における前記電気信号を受信すると、前記押し部材が前記回折格子に向かって移動するようにし、それによって、前記ある量の流体の前記一部が前記表面の前記第２の領域から前記回折格子の前記溝の中に変位させられるようにすることと、
前記駆動信号源からの前記第２の状態における前記電気信号を受信すると、前記押し部材が前記回折格子から離れるように移動するようにし、それによって、前記ある量の流体の前記一部が前記回折格子の前記溝から前記表面の前記第２の領域に後退するようにすることと
を行うように構成されている、項目１に記載の動的に作動可能なＤＯＥ。
（項目７）
前記駆動機構は、微小電気機械システム（ＭＥＭＳ）アセンブリを備え、前記ＭＥＭＳアセンブリは、
前記基板に固定して取り付けられた第１の櫛と、
前記基板に移動可能に取り付けられ、前記第１の櫛と互いに組み合わせられた第２の櫛と
を備え、
前記第２の櫛は、前記押し部材に取り付けられており、
前記駆動機構は、
前記第１の状態における前記電気信号を受信すると、電位を前記第１の櫛と前記第２の櫛との間に印加し、前記第２の櫛および前記押し部材が前記第１の櫛から前記回折格子に向かって離れるように移動するようにすることと、
前記第２の状態における前記電気信号を受信すると、任意の電位を前記第１の櫛と前記第２の櫛との間に印加せず、前記第２の櫛および前記押し部材が元の位置に後退するようにすることと
を行うように構成されている、項目６に記載の動的に作動可能なＤＯＥ。
（項目８）
前記駆動機構は、第１の端部と、第２の端部とを有するらせん形態における形状記憶合金を備え、前記第２の端部は、前記押し部材に取り付けられ、
第１の電極が、前記基板に取り付けられ、前記形状記憶合金の前記第１の端部は、前記第１の電極に取り付けられ、
第２の電極が、前記透明カバーに取り付けられ、前記形状記憶合金の前記第２の端部は、前記第２の電極にスライド接触し、
前記駆動機構は、
前記第１の状態における前記電気信号を受信すると、電位を前記第１の電極と前記第２の電極との間に印加し、前記形状記憶合金が拡張するようにし、それによって、前記形状記憶合金の前記第２の端部が前記押し部材を前記回折格子に向かって押すようにすることと、
前記第２の状態における前記電気信号を受信すると、どんな電位も前記第１の電極と前記第２の電極との間に印加せず、前記形状記憶合金が元の状態に収縮するようにし、それによって、前記押し部材が元の位置に後退するようにすることと
を行うように構成されている、項目６に記載の動的に作動可能なＤＯＥ。
（項目９）
前記回折格子を覆っている光学窓をさらに備え、前記流体ディスプレーサは、
前記基板の前記表面の前記第２の領域に隣接して前記光学窓を覆っているトラスと、
前記トラスと前記光学窓との間に配置され、前記駆動信号源に結合されたアクチュエータと
を備え、
前記流体ディスプレーサは、
前記第１の状態における前記電気信号を受信すると、電流を前記アクチュエータに印加し、前記アクチュエータが力を前記光学窓に及ぼすようにし、前記光学窓が前記回折格子に向かって下向きに撓むようにし、それによって、前記ある量の流体の前記一部が前記表面の前記第２の領域から前記回折格子の前記溝の中に変位させられるようにすることと、
前記第２の状態における前記電気信号を受信すると、前記電流を前記アクチュエータに印加せず、前記光学窓が元の位置に後退するようにし、それによって、前記ある量の流体の前記一部が前記回折格子の前記溝から前記表面の前記第２の領域に後退するようにすることと
を行うように構成されている、項目１に記載の動的に作動可能なＤＯＥ。
（項目１０）
前記アクチュエータは、圧電要素、ボイスコイルモータ、または熱膨張可能体のうちの１つを備えている、項目９に記載の動的に作動可能なＤＯＥ。
（項目１１）
前記流体ディスプレーサは、前記ある量の流体と熱接触している加熱要素を備え、前記流体ディスプレーサは、
前記第１の状態における前記電気信号を受信すると、電流を前記加熱要素に印加し、前記ある量の流体が熱くなり、膨張するようにし、それによって、前記ある量の流体の前記一部が前記表面の前記第２の領域から前記回折格子の前記溝の中に変位させられるようにすることと、
前記第２の状態における前記電気信号を受信すると、前記電流を前記加熱要素に印加せず、前記ある量の流体が冷え、収縮するようにし、それによって、前記ある量の流体の前記一部が前記回折格子の前記溝から前記表面の前記第２の領域に後退するようにすることと
を行うように構成されている、項目１に記載の動的に作動可能なＤＯＥ。
（項目１２）
仮想コンテンツの画像を形成するための画像光を視認者の眼に投影するための接眼レンズであって、前記接眼レンズは、
第１の波長に中心を置かれた第１の波長範囲内の光を伝搬するように構成された第１の平面導波管と、
第１の側方位置において、前記第１の導波管の表面の第１の領域上に形成された第１の動的に作動可能な回折光学要素（ＤＯＥ）であって、前記動的に作動可能なＤＯＥは、その上に入射する前記画像光を受信するように構成され、
前記動的に作動可能なＤＯＥは、
第１の屈折率を有する表面レリーフ回折格子であって、前記表面レリーフ回折格子は、複数の隆起と、隣接する隆起間の複数の溝とを含む、表面レリーフ回折格子と、
前記第１の領域に隣接した前記第１の導波管の前記表面の第２の領域上に配置されたある量の流体であって、前記流体は、前記回折格子の第１の屈折率に実質的に合致した第２の屈折率を有する、ある量の流体と、
前記第２の領域に隣接して配置された流体ディスプレーサと、
前記流体ディスプレーサに結合され、電気信号を前記流体ディスプレーサに送信するように構成された駆動信号源と
を備え、
前記電気信号は、第１の状態または第２の状態を有し、
前記流体ディスプレーサは、
前記第１の状態における前記電気信号を受信すると、前記ある量の流体の一部が前記第２の領域から前記回折格子の前記溝の中に変位するようにし、それによって、前記回折格子が「オフ」状態にあるようにすることと、
前記第２の状態における前記電気信号を受信すると、前記ある量の流体の前記一部が前記回折格子の前記溝から前記第２の領域に後退するようにし、それによって、前記回折格子が「オン」状態にあるようにすることと
を行うように構成され、
前記回折格子は
「オン」状態にある間、前記第１の導波管の中で伝搬されるように前記第１の導波管の中に前記回折格子の上に入射する前記画像光の一部を回折することと、
「オフ」状態にある間、その上に入射する前記画像光を透過させることと
を行うように構成されている、前記第１の動的に作動可能なＤＯＥと、
前記第１の導波管の平面と実質的に平行に位置付けられた第２の平面導波管であって、前記第２の平面導波管は、前記第１の波長と異なる第２の波長に中心を置かれた第２の波長範囲内の光を伝搬するように構成されている、第２の平面導波管と、
前記第１の側方位置と実質的に整列させられた第２の側方位置において、前記第２の導波管の表面の領域上に形成された第２のＤＯＥであって、
前記第２のＤＯＥは、
前記回折格子が「オフ」状態にある間、前記回折格子によって透過させられた前記画像光を受け取ることと、
前記第２の導波管の中で伝搬されるように前記第２の導波管の中に前記画像光の第２の部分を回折することと
を行うように構成されている、第２のＤＯＥと
を備えている、接眼レンズ。
（項目１３）
前記画像光は、複数のサブフレーム期間において時間多重化された前記第１の波長範囲内の光と前記第２の波長範囲内の光とを含み、前記駆動信号源は、
前記第２の波長範囲内の光に対応するサブフレーム期間において、前記第１の状態における前記電気信号を送信することと、
前記第１の波長範囲内の光に対応するサブフレーム期間において、前記第２の状態における前記電気信号を送信することと
を行うように構成されている、項目１２に記載の接眼レンズ。
（項目１４）
前記第１の導波管は、親水性材料を備え、前記回折格子は、疎水性材料を備えている、項目１２に記載の接眼レンズ。
（項目１５）
前記親水性材料は、ガラスを備え、前記疎水性材料は、ポリマーを備えている、項目１４に記載の接眼レンズ。
（項目１６）
前記第１の導波管の前記表面の前記第２の領域は、親水性として挙動するように化学的に処理され、前記回折格子の表面は、疎水性として挙動するように化学的に処理されている、項目１２に記載の接眼レンズ。
（項目１７）
前記流体ディスプレーサは、圧電要素を備えている、項目１２に記載の接眼レンズ。
（項目１８）
動的に作動可能なレンズであって、前記動的に作動可能なレンズは、
表面を有する基板と、
前記基板の前記表面上に形成されたメタ表面回折光学要素（ＤＯＥ）であって、前記メタ表面ＤＯＥは、前記表面の上方に突出した複数の隆起部分を含み、前記複数の隆起部分は、隣接した隆起部分間の複数の陥凹を画定する、メタ表面ＤＯＥと、
前記メタ表面ＤＯＥを覆い、親水性材料を備えている移動可能なカバーと、
前記移動可能なカバー上に配置されたある量の流体と、
前記移動可能なカバーに結合された駆動機構と
を備え、
前記駆動機構は、
第１の状態における制御信号を受信すると、前記移動可能なカバーを前記メタ表面ＤＯＥに向かって移動させ、前記ある量の流体の一部を前記複数の陥凹の中に変位させ、それによって、前記メタ表面ＤＯＥを「オフ」状態にすることと、
第２の状態における制御信号を受信すると、前記移動可能なカバーを前記メタ表面ＤＯＥから離れるように移動させ、前記ある量の流体の前記一部を前記複数の陥凹から後退させ、それによって、前記メタ表面ＤＯＥを「オン」状態にすることと
を行うように構成されている、動的に作動可能なレンズ。
（項目１９）
前記メタ表面ＤＯＥは、疎水性材料を備えている、項目１８に記載の動的に作動可能なレンズ。
（項目２０）
前記複数の隆起部分は、１００ナノメートルより小さい最大横寸法を有する、項目１８に記載の動的に作動可能なレンズ。